(57)【特許請求の範囲】
【請求項１】
水平偏向コイルと垂直偏向コイル間を絶縁する円筒状プラスチック絶縁枠のブラウン管ネック部側に補正片を取付ける構造を備えた偏向ヨークにおいて、
前記円筒状プラスチック絶縁枠２０のブラウン管ネック部側に設けたフランジ面３の外端部近傍にブラウン管の管軸と直交する方向に相対する案内壁５，５とこの相対する案内壁５，５間に断面Ｔ字状の突起６とを並設した補正片取付け構造部４を形成するとともに、前記補正片取付け構造部４に挿入する底面１３と外壁面１４と後壁面１５を有する外形塵取状の補正片ホルダー１０を形成してなり、前記補正片ホルダー１０は、底面１３の外面上に該底面１３の先端部から後端部に連接した、上面１１Ｂの中央に長手方向にスリット１２を有する断面中空状のケース部１１と、前記補正片ホルダー１０の底面１３の内側面の先端部に該補正片ホルダー１０の長手方向と直交させて固設した補正片１８と、前記補正片ホルダー１０の後壁面１５に突設したつまみ部１６とを具備し、
前記補正片取付け構造部４のＴ字状の突起６のネック部６Ａと前記補正片ホルダー１０のケース部１１のスリット１２および前記補正片取付け構造部４の相対する案内壁５，５と前記補正片ホルダー１０のケース部両側面１１Ａ，１１Ａを合わせ、前記補正片ホルダー１０のケース部１１を先端側から前記補正片取付け構造部４に挿入し、前記補正片取付け構造部４のＴ字状突起６のネック部６Ａに前記補正片ホルダー１０のケース部１１のスリット１２を沿わせて前記補正片ホルダー１０を摺動自在に移動させてなることを特徴とする偏向ヨーク。
【請求項２】
請求項１記載の偏向ヨークにおいて、前記補正片ホルダー１０の前端部および補正片１８の前面部が円弧状に形成されていることを特徴とする偏向ヨーク。
【請求項３】
請求項１または請求項２記載の偏向ヨークにおいて、前記円筒状プラスチック絶縁枠２０は前記フランジ面３を円筒状プラスチック絶縁枠２０とは別体に形成したリアカバー形構造であることを特徴とする偏向ヨーク。
【請求項４】
請求項１または請求項２記載の偏向ヨークにおいて、前記円筒状プラスチック絶縁枠２０はフランジ面３と一体に形成されたセパレータ形構造であることを特徴とする偏向ヨーク。
【請求項５】
請求項１、請求項２、請求項３または請求項４記載の偏向ヨークにおいて、前記補正片取付け構造部４および前記補正片ホルダー１０がブラウン管の管軸を挟む対向位置に配設されていることを特徴とする偏向ヨーク。
【発明の詳細な説明】
【０００１】
【産業上の利用分野】
本発明は、カラーブラウン管用偏向ヨークに関するもので、特に磁界補正用の補正片を摺動自在に内蔵することのできる補正片取付け構造を有する偏向ヨーク関するものである。
【０００２】
【従来の技術】
カラーブラウン管用の偏向ヨークには、カラーブラウン管の画面水平方向或いは垂直方向のチルト補正を行うことができるよう、水平偏向コイルと垂直偏向コイル間を絶縁する円筒状プラスチック絶縁枠のブラウン管ネック部側に設けたフランジ面に、ブラウン管の管軸と直交する方向に前後に移動可能な磁界補正用の補正片を取付けた構造のものがある。従来、かかる補正片の取付け構造として、図４に図示するように、円筒状プラスチック絶縁枠３１の後方側に設けたフランジ面３２上にブラウン管の管軸Ｘ−Ｘと直交する方向に四周を壁に囲まれたトンネル形状部３３をフランジ面３２の外端部から内端部に形成し、このトンネル形状部３３に補正片３４を挿入し、トンネル形状部３３に沿わせて前後に補正片３４を摺動させる構造のもの、或いは図５に図示するように、円筒状プラスチック絶縁枠４１のフランジ面４２上に、前記図４のトンネル形状部３３に代えて、一対の逆Ｌ字形状の庇部４３をブラウン管管軸Ｘ−Ｘと直交する方向に平行に設け、この一対の逆Ｌ字形状庇部４３間に補正片４４を挿入し、一対の逆Ｌ字形状庇部４３間に沿わせて前後に補正片４４を摺動させる構造のものがあった。
【０００３】
【発明が解決しようとする課題】
ところで、これら補正片３４、４４はできる限りブラウン管の管壁近くまで移動できることが望ましく、トンネル形状部３３或いは逆Ｌ字形状庇部４３は、補正片３４或いは４４をブラウン管管壁近くまで移動させたときに補正片３４、４４を確実に保持し、補正片３４、４４が外れて偏向ヨークから落下することのない構造であることが必要である。
しかし、図４，図５に図示した円筒状プラスチック絶縁枠３１、４１では構造上の制約から、フランジ面３２、４２付近にしか設けておらず、補正片３４、４４保持の確実性にかけ充分なチルト補正が行われ難かった。
また、円筒状プラスチック絶縁枠３１或いは４１がフランジ面３２或いは４２と別体に設けられたリアカバー形構造の偏向ヨークでは、フランジ面３２或いは４２のモールド金型の抜き構造に起因して、トンネル形状部３３或いは逆Ｌ字形状庇部４３はフランジ面３２或いは４２の外端部近傍にしか設けることができず、このような構造では補正片３４、４４の保持やカラーブラウン管の画面水平方向或いは垂直方向のチルト補正は困難であった。
【０００４】
そこで、本発明の目的は、円筒状プラスチック絶縁枠３１或いは４１の構造上の制約から、補正片取り付け構造部をフランジ面の外端部にしか設けることの出来ない構造であっても、補正片をカラーブラウン管の管壁近くまで所望の磁界調整位置に自在に移動させることができ、カラーブラウン管の画面水平方向或いは垂直方向のチルト補正を充分行うことのできる偏向ヨークを提供することにある。
【０００５】
【課題を解決するための手段】
第１の観点では、本発明の偏向ヨークは、水平偏向コイルと垂直偏向コイル間を絶縁する円筒状プラスチック絶縁枠のブラウン管ネック部側に補正片を取付ける構造を備えた偏向ヨークにおいて、前記円筒状プラスチック絶縁枠２０のブラウン管ネック部側に設けたフランジ面３の外端部近傍にブラウン管の管軸と直交する方向に相対する案内壁５，５とこの相対する案内壁５，５間に断面Ｔ字状の突起６とを並設した補正片取付け構造部４を形成するとともに、前記補正片取付け構造部４に挿入する底面１３と外壁面１４と後壁面１５を有する外形塵取状の補正片ホルダー１０を形成してなり、前記補正片ホルダー１０は、底面１３の外面上に該底面１３の先端部から後端部に連接した、上面１１Ｂの中央に長手方向にスリット１２を有する断面中空状のケース部１１と、前記補正片ホルダー１０の底面１３の内側面の先端部に該補正片ホルダー１０の長手方向と直交させて固設した補正片１８と、前記補正片ホルダー１０の後壁面１５に突設したつまみ部１６とを具備し、前記補正片取付け構造部４のＴ字状の突起６のネック部６Ａと前記補正片ホルダー１０のケース部１１のスリット１２および前記補正片取付け構造部４の相対する案内壁５，５と前記補正片ホルダー１０のケース部両側面１１Ａ，１１Ａを合わせ、前記補正片ホルダー１０のケース部１１を先端側から前記補正片取付け構造部４に挿入し、前記補正片取付け構造部４のＴ字状突起６のネック部６Ａに前記補正片ホルダー１０のケース部１１のスリット１２を沿わせて前記補正片ホルダー１０を摺動自在に移動させてなることを構成上の特徴とするものである。
【０００６】
第２の観点では、本発明の偏向ヨークは、前記構成の偏向ヨークにおいて、前記補正片ホルダー１０の前端部および補正片１８の前面部が円弧状に形成されていることを構成上の特徴とするものである。
【０００７】
第３の観点では、本発明の偏向ヨークは、前記第１または第２の観点の偏向ヨークにおいて、前記円筒状プラスチック絶縁枠２０は前記フランジ面３を円筒状プラスチック絶縁枠２０とは別体に形成したリアカバー形構造であることを構成上の特徴とするものである。
【０００８】
第４の観点では、本発明の偏向ヨークは、前記第１または第２の観点の偏向ヨークにおいて、前記円筒状プラスチック絶縁枠２０はフランジ面３と一体に形成されたセパレータ形構造であることを構成上の特徴とするものである。
【０００９】
第５の観点では、本発明の偏向ヨークは、前記第１、第２、第３または第４の観点の偏向ヨークにおいて、前記補正片取付け構造部４および前記補正片ホルダー１０がブラウン管の管軸を挟む対向位置に配設されていることを構成上の特徴とするものである。
【００１０】
【作用】
第１の観点による偏向ヨークでは、円筒状プラスチック絶縁枠２０のブラウン管ネック部側に設けたフランジ面３の外端部近傍部分にブラウン管の管軸と直交する方向に相対する案内壁５，５とこの相対する案内壁５，５間に断面Ｔ字状の突起６とを並設した補正片取付け構造部４を形成する。一方、前記円筒状プラスチック絶縁枠２０と別体に塵取り形状の補正片ホルダー１０を形成する。この塵取り形状の補正片ホルダー１０は、その底面１３の外面上にこの表面の先端部から後端部にわたる断面中空状のケース部１１が設けられ且つこのケース部１１の上面１１Ｂ中央部に先端から後端方向にスリット１２が設けられ、前記塵取り形状の補正片ホルダー１０の底面１３の内側面の先端部に補正片ホルダー１０の長手方向と直交させて補正片１８が固設され、前記塵取り形状の後壁面１５につまみ部１６が設けられている。かかる構成により、前記補正片ホルダー１０のケース部１１のスリット１２と前記補正片取付け構造部４のＴ字状突起６のネック部６Ａとを合わせて前記補正片ホルダー１０のケース部１１を先端側から前記補正片取付け構造部４の相対する案内壁５，５間に挿入し摺動したとき、前記補正片ホルダー１０のケース部１１の両側面１１Ａ，１１Ａは挿入口の補正片取付け構造部４の相対する案内壁５，５間に常に確実に保持され、前記補正片ホルダー１０のケース部１１のスリット１２は前記補正片取付け構造部４のＴ字状突起６のネック部６Ａに沿って摺動するので、前記補正片ホルダー１０は前記補正片取付け構造部４から外れて落下することなく前後に自在に移動させることができる。このように、円筒状プラスチック絶縁枠２０のフランジ面３の外端近傍部分にのみ補正片取付け構造部４を設けるだけで、補正片ホルダー１０は補正片取付け構造部４から落下することなく前後に摺動可能となり、補正片ホルダー１０先端の補正片１８をブラウン管ネック部の管壁近傍まで所望の位置に自在に移動させることができる。この結果、補正片１８による磁界調整が容易となり、カラーブラウン管の画面水平方向或いは垂直方向のチルト補正を充分に行うことが可能となる。また、補正片取付け構造部４はフランジ面３の外端から内端の全長にわたって設ける必要がなく、円筒状プラスチック絶縁枠２０のフランジ面３の外端部近傍部分にだけ設ける構造なので、偏向ヨークの構造や円筒状プラスチック絶縁枠２０の成形上の制約が解消され、どのような構造の偏向ヨークや円筒状プラスチック絶縁枠２０にも形成が可能となる。
【００１１】
第２の観点による偏向ヨークでは、前記補正片ホルダー１０の前端部およびこの補正片ホルダー１０の前端部に固設される補正片１８の前面部が円弧状に形成されるので、補正片ホルダー１０をブラウン管ネック部の管壁近傍まで移動したときに、補正片１８をブラウン管ネック部の管壁に沿って密接配置することができるようになり、補正片１８による磁界調整効果が一層向上する。
【００１２】
第３の観点による偏向ヨークでは、円筒状プラスチック絶縁枠２０とフランジ面３とを別体に形成しフランジ面３を円筒状プラスチック絶縁枠２０に後付けするリアカバー形構造の偏向ヨークの場合、成形金型の抜き構造上から、フランジ面３に補正片取付け構造部４を設けることは従来不可能とされていたが、フランジ面３の外端近傍部分にだけ補正片取付け構造部４を設ける構造なので、成形金型の抜き構造上の制約も解消され、フランジ面３に補正片取付け構造部４を設けることが可能になる。
【００１３】
第４の観点による偏向ヨークでは、円筒状プラスチック絶縁枠２０とフランジ面３とが一体に形成されたセパレータ形プラスチック絶縁枠構造の偏向ヨークの場合であっても、補正片取付け構造部４はセパレータ形プラスチック絶縁枠２０のフランジ面３の外端近傍部分にのみ設けるものであり、絶縁枠２０のフランジ面３に補正片取付け構造部４を設けるにあたっての成形上、金型上の制約を受けることがなく製作も容易となる。
【００１４】
第５の観点による偏向ヨークでは、前記補正片取付け構造部４および補正片ホルダー１０をブラウン管の管軸を挟む対向位置に配設するものであり、カラーブラウン管の画面水平方向或いは垂直方向のチルト補正をより容易に行える。
【００１５】
【実施例】
以下、本発明の偏向ヨークについて、図に示す実施例により詳細に説明する。なお、これにより本発明が限定されるものではない。
図１は、リアカバー形構造の偏向ヨークのリアカバーフランジ面に補正片取り付け構造部を設けた実施例を示すもので、図１（ａ）はその側面図、図１（ｂ）はその上面図である。
リアカバー１は、中心部に円筒状プラスチック絶縁枠２０の嵌入され嵌入口２の設けられたフランジ面３を有する。リアカバー１のフランジ面３は、例えば、図１に例示のように、四辺形状に形成される。補正片取り付け構造部４は、フランジ面３の外端部から舌片状に突設させてリアカバー１と一体に形成され、例えば、外形が下面７と外壁８に囲まれた断面コの字形に形成され、嵌入口２の中心軸Ａ−Ａ（ブラウン管の管軸と一致する）と直交する方向に設けられる。補正片取り付け構造部４内には、下面７に立設した相対する案内壁５，５と、この案内壁５，５間に並設した断面Ｔ字状の突起６とが設けられる。図２は、補正片取り付け構造部４の要部を示し、図２（ａ）はその側面図、図２（ｂ）はその上面図であり、突起６はネック部６Ａと平坦な頂部６Ｂを有する断面Ｔ字状に形成されていて、案内壁５，５の間のほぼ中央部に案内壁５，５と平行に設けられる。なお、図１、図２の補正片取り付け構造部４は外形形状が断面上向きコの字状に形成されたものを例示したが、補正片取り付け構造部４の外形形状は断面上向きコの字状に限らず、例えば、下面７と外壁８に加えて上面を設けて断面ロの字形に形成しても、構造上何等不都合はない。
【００１６】
図３は、補正片ホルダー１０の一実施例を示し、図３（ａ）はその側面図、図３（ｂ）はその底面図である。補正片ホルダー１０は、底面１３と外壁面１４，１４と後壁面を有し、外形が略塵取り型にプラスチック材で形成される。補正片ホルダー１０の底面１３の外面上には、中空状のケース部１１が底面１３の外面の先端部から後端部にわたって底面１３外面から突き出た形で設けられ、ケース部１１の上面１１Ｂの中央部にケース部１１先端から後端に連続するスリット１２を有する。ケース部１１の幅寸法（ケース部１１の両側面１１Ａ間の寸法）は、ケース部１１を補正片取り付け構造部４の案内壁５，５間で摺動させるときに、ケース部１１の両側面１１Ａと補正片取り付け構造部４の案内壁５，５間で適度の摩擦力を有する程度の寸法に形成する。また、ケース部１１のスリット１２の幅寸法は補正片取り付け構造部４のＴ字状突起６のネック部６Ａの厚み寸法より若干大きく形成する。従って、ケース部１１の幅寸法、スリット１２の位置や幅寸法並びに補正片１８が接着剤により固設される。補正片取り付け構造部４の案内壁５，５間寸法、Ｔ字状突起６の位置やネック部６Ａ寸法は、精度よく形成しておくことが必要である。また、補正片ホルダー１０の底面１３の内面先端部には、補正片ホルダー１０の長手方向と直交する方向に１７は爪状片で、補正片１８を補正片ホルダー１０の底面１３の内面に配設する際に配設しやすいように支持する。また、補正片ホルダー１０の後壁面１５には、つまみ１６が突出して設けられる。つまみ１６は指でつまめる程度の大きさでよい。なお、図３の補正片ホルダー１０の実施例では、補正片ホルダー１０の前端部および補正片１８の前面部が直状に形成された例を示したが、補正片ホルダー１０の前端部および補正片１８の前面部を円弧状に形成してもよく、円弧状に形成した場合、前述したように補正片１８による磁界調整効率が向上する。この他、補正片１８の形状は目的、用途に応じて凸形、凹形など或いは厚さや奥行き寸法を変化させて形成させることも可能である。
【００１７】
次に、上記した補正片ホルダー１０の補正片取り付け構造部４への取り付け方法について記す。先ず、補正片１８を補正片ホルダー１０の底面１３の内面先端部に接着剤により固定する。次に、この補正片ホルダー１０を補正片１８の固設されている先端側から補正片取り付け構造部４へ挿入するが、このとき補正片取り付け構造部４のＴ字状突起６のネック部６Ａと補正片ホルダー１０のケース部１１のスリット１２とを合わせながら、補正片ホルダー１０のケース部１１を先端側から補正片取付け構造部４の相対する案内壁５，５間に挿入する。このようにして補正片ホルダー１０を補正片取付け構造部４へ挿入し、補正片取付け構造部４のＴ字状突起６のネック部６Ａに補正片ホルダー１０のケース部１１のスリット１２を沿わせて摺動する。かかる構成により、補正片取付け構造部４をフランジ面３の外端近傍にのみ設けたものであっても、補正片取付け構造部４の案内壁５，５が補正片ホルダー１０のケース部両側面１１Ａ，１１Ａを支持案内し、補正片取付け構造部４のＴ字状突起６が補正片ホルダー１０のケース部１１のスリット１２により抱持される形となり、補正片ホルダー１０は補正片取付け構造部４から外れることなくブラウン管の管壁近傍まで自在に移動され、補正片１８による磁界調整効率が向上する。
【００１８】
【発明の効果】
本発明の偏向ヨークによれば、補正片取付け構造部は、円筒状プラスチック絶縁枠フランジ面の外端から内端の全長にわたって設ける必要がなく、フランジ面の外端部近傍の補正片ホルダー挿入口に設けるのみでよい。従って、円筒状プラスチック絶縁枠フランジ面に補正片取り付け構造部を形成させるための構造上の制約を何等受けることがなくなり、従来、補正片取付け構造部を設けることが難しかったリアカバータイプのものにも容易に取付けることが可能となった。そして、本発明の補正片取付け構造部と補正片ホルダーの構成により、補正片ホルダー即ち補正片は補正片取付け構造部から外れて落下することなく、ブラウン管の管壁近傍までの間所望の磁界調整位置に自在に移動させることが可能となり、磁界調整効率が高まる。また、補正片ホルダーの構造を変えることなく、磁界補正量や用途に応じて補正片を交換することが極めて容易となり、偏向ヨークの標準化やコストの低減化に非常に有用である。
【図面の簡単な説明】
【図１】本発明の補正片取付け構造部を設けた円筒状プラスチック絶縁枠フランジ面の一実施例を示す説明図である。同図（ａ）はその側面図であり、同図（ｂ）はその上面図である。
【図２】図１の補正片取付け構造部の要部の説明図である。同図（ａ）はその側面図であり、同図（ｂ）はその上面図である。
【図３】本発明の補正片ホルダーの一実施例を示す説明図である。同図（ａ）はその側面図であり、同図（ｂ）はその底面図である。
【図４】従来の補正片取付け構造部を設けた円筒状プラスチック絶縁枠の説明図である。
【図５】従来の補正片取付け構造部を設けた円筒状プラスチック絶縁枠の側面説明図である。
【符号の説明】
１  リアカバー
２  嵌入口
３  フランジ面
４  補正片取付け構造部
５  案内壁
６  突起
６Ａ  突起ネック部
６Ｂ  突起頂部
７  補正片取付け構造部下面
８  補正片取付け構造部外壁
１０  補正片ホルダー
１１  ケース部
１１Ａ  ケース部側面
１１Ｂ  ケース部上面
１２  スリット
１３  補正片ホルダー底面
１４  補正片ホルダー外壁面
１５  補正片ホルダー後壁面
１６  つまみ部
１７  爪部
１８  補正片
２０  円筒状プラスチック絶縁枠
【図１】
0003580752.tif 000002
【図２】
0003580752.tif 000003
【図３】
0003580752.tif 000004
【図４】
0003580752.tif 000005
【図５】
0003580752.tif 000006